(57)【要約】【課題】　蓄積文書に対する認証機能を共有することができ、ネットワークおよび融合機のリソースを浪費することなく蓄積文書に対して所定の処理を行うことができる画像形成装置，蓄積文書処理方法および蓄積文書処理システムを提供することを目的とする。【解決手段】　画像形成装置１であって、ネットワーク機器１２０から蓄積文書に対する認証要求を受信するとセッション情報を取得し、ネットワーク機器１２０に蓄積文書処理用画面を作成させる為の画面用データにセッション情報を包含させてネットワーク機器１２０に送信し、ネットワーク機器１２０からセッション情報を利用した蓄積文書処理要求を受信すると前記文書蓄積手段に蓄積された蓄積文書に対する所定の処理要求を実行することにより上記課題を解決する。【選択図】　図３
2004094941.tif 000002
【特許請求の範囲】
【請求項１】
　画像形成処理で使用されるハードウェア資源と、画像形成に係る処理を行うプログラムと、蓄積文書を蓄積する文書蓄積手段とを有する画像形成装置であって、
　外部のネットワーク機器から前記文書蓄積手段に蓄積された蓄積文書に対する認証要求を受信すると前記認証要求に応じて前記画像形成装置内部で確立されたセッションのセッション情報を取得して、前記ネットワーク機器に蓄積文書処理用画面を作成させるための画面用データにセッション情報を包含させて前記ネットワーク機器に送信し、
　前記ネットワーク機器からセッション情報を利用した所定の処理要求を受信すると、セッション情報を用いて前記文書蓄積手段に蓄積された蓄積文書に対する所定の処理要求を実行することを特徴とする画像形成装置。
【請求項２】
　画面用データにセッション情報を包含させて前記ネットワーク機器に送信したあと、前記ネットワーク機器からセッション情報を利用した蓄積文書取得要求を受信すると、セッション情報を用いて蓄積文書取得要求に応じた蓄積文書を前記文書蓄積手段から取得して前記ネットワーク機器に送信することを特徴とする請求項１記載の画像形成装置。
【請求項３】
　外部のネットワーク機器から前記文書蓄積手段に蓄積された蓄積文書に対する認証要求を受信すると、前記認証要求に応じた認証処理を行い、その認証処理結果に応じてセッション情報の内容および識別情報を生成し、前記セッション情報の識別情報を前記画面用データに包含させて前記ネットワーク機器に送信することを特徴とする請求項１記載の画像形成装置。
【請求項４】
　前記ネットワーク機器から前記セッション情報の識別情報を利用した所定の処理要求を受信すると、前記識別情報に応じて前記セッション情報の内容を特定し、そのセッション情報の内容を用いて前記文書蓄積手段に蓄積された蓄積文書に対する所定の処理要求を実行することを特徴とする請求項３記載の画像形成装置。
【請求項５】
　前記ネットワーク機器から前記セッション情報の識別情報を利用した所定の処理要求を受信すると、前記識別情報に応じて前記セッション情報の内容を特定し、そのセッション情報の内容に応じて前記所定の処理要求の正当性を判定することを特徴とする請求項４記載の画像形成装置。
【請求項６】
　前記所定の処理要求は、セッション情報，蓄積文書識別情報，文書取得範囲情報を含むことを特徴とする請求項１記載の画像形成装置。
【請求項７】
　前記ネットワーク機器に蓄積文書処理用画面を作成させるための画面用データは、セッション情報，蓄積文書識別情報，文書取得可能範囲情報を包含することを特徴とする請求項１記載の画像形成装置。
【請求項８】
　前記文書取得範囲情報は、蓄積文書の形式および蓄積文書の頁を少なくとも含むことを特徴とする請求項６記載の画像形成装置。
【請求項９】
　前記文書取得可能範囲情報は、蓄積文書の形式および蓄積文書の頁を少なくとも含むことを特徴とする請求項７記載の画像形成装置。
【請求項１０】
　前記画像形成装置内部で確立されたセッションのセッション情報は、そのセッションが確立されてから所定時間経過した後に、無効とされることを特徴とする請求項１記載の画像形成装置。
【請求項１１】
　前記画像形成処理で使用されるハードウェア資源は、画像から画像データを生成するスキャナ手段および画像データから画像を形成するプロッタ手段を少なくとも有することを特徴とする請求項１乃至１０何れか一項記載の画像形成装置。
【請求項１２】
　前記ネットワーク機器に蓄積文書処理用のＷｅｂページを作成させるためのＷｅｂページ用データにセッション情報を包含させ、そのＷｅｂページ用データを前記ネットワーク機器に送信することを特徴とする請求項１記載の画像形成装置。
【請求項１３】
　前記Ｗｅｂページ用データは、ＨＴＭＬ（Ｈｙｐｅｒｔｅｘｔ　Ｍａｒｋｕｐ　Ｌａｎｇｕａｇｅ）で記述されていることを特徴とする請求項１２記載の画像形成装置。
【請求項１４】
　画像形成処理で使用されるハードウェア資源と、画像形成に係る処理を行うプログラムと、蓄積文書を蓄積する文書蓄積手段とを有する画像形成装置であって、
　外部のネットワーク機器から前記文書蓄積手段に蓄積された蓄積文書に対する認証要求および文書取得条件情報を受信すると、前記認証要求に応じて前記画像形成装置内部で確立されたセッションのセッション情報を取得し、
　前記セッション情報および文書取得条件情報を用いて前記文書蓄積手段に蓄積された蓄積文書に対する所定の処理要求を実行することを特徴とする画像形成装置。
【請求項１５】
　画像形成処理で使用されるハードウェア資源と、画像形成に係る処理を行うプログラムと、蓄積文書を蓄積する文書蓄積手段とを有する画像形成装置の蓄積文書処理方法であって、
　外部のネットワーク機器から前記文書蓄積手段に蓄積された蓄積文書に対する認証要求を受信すると前記認証要求に応じて前記画像形成装置内部で確立されたセッションのセッション情報を取得して、前記ネットワーク機器に蓄積文書処理用画面を作成させるための画面用データにセッション情報を包含させて前記ネットワーク機器に送信する段階と、
　前記ネットワーク機器からセッション情報を利用した所定の処理要求を受信すると、セッション情報を用いて前記文書蓄積手段に蓄積された蓄積文書に対する所定の処理要求を実行する段階と
を有することを特徴とする蓄積文書処理方法。
【請求項１６】
　画像形成処理で使用されるハードウェア資源と、画像形成に係る処理を行うプログラムと、蓄積文書を蓄積する文書蓄積手段とを有する画像形成装置の蓄積文書処理方法であって、
　外部のネットワーク機器から前記文書蓄積手段に蓄積された蓄積文書に対する認証要求および文書取得条件情報を受信すると、前記認証要求に応じて前記画像形成装置内部で確立されたセッションのセッション情報を取得する段階と、
　前記セッション情報および文書取得条件情報を用いて前記文書蓄積手段に蓄積された蓄積文書に対する所定の処理要求を実行する段階と
を有することを特徴とする蓄積文書処理方法。
【請求項１７】
　１つ以上の外部のネットワーク機器と、前記外部のネットワーク機器にネットワークを介して接続された画像形成装置とを用いて、前記画像形成装置の文書蓄積手段に蓄積された蓄積文書に対して所定の処理を実行する蓄積文書処理システムであって、
　前記画像形成装置は、外部のネットワーク機器から前記文書蓄積手段に蓄積された蓄積文書に対する認証要求を受信すると前記認証要求に応じて前記画像形成装置内部で確立されたセッションのセッション情報を取得して、前記ネットワーク機器に蓄積文書処理用画面を作成させるための画面用データにセッション情報を包含させて前記ネットワーク機器に送信する機能と、
　前記ネットワーク機器からセッション情報を利用した所定の処理要求を受信すると、セッション情報を用いて前記文書蓄積手段に蓄積された蓄積文書に対する所定の処理要求を実行する機能とを有し、
　前記外部のネットワーク機器は、受信した画像用データに包含されているセッション情報を取得し、ユーザからの指示に応じて前記セッション情報を利用した所定の処理要求を前記画像形成装置に送信する機能を有する
ことを特徴とする蓄積文書処理システム。
【請求項１８】
　１つ以上の外部のネットワーク機器と、前記外部のネットワーク機器にネットワークを介して接続された画像形成装置とを用いて、前記画像形成装置の文書蓄積手段に蓄積された蓄積文書に対して所定の処理を実行する蓄積文書処理システムであって、
　前記画像形成装置は、外部のネットワーク機器から前記文書蓄積手段に蓄積された蓄積文書に対する認証要求および文書取得条件情報を受信すると、前記認証要求に応じて前記画像形成装置内部で確立されたセッションのセッション情報を取得する機能と、
　前記セッション情報および文書取得条件情報を用いて前記文書蓄積手段に蓄積された蓄積文書に対する所定の処理要求を実行する機能と
を有することを特徴とする蓄積文書処理システム。
【請求項１９】
　１つ以上の外部のネットワーク機器と、前記外部のネットワーク機器にネットワークを介して接続された画像形成装置とを用いて、前記画像形成装置の文書蓄積手段に蓄積された蓄積文書に対して所定の処理を実行する蓄積文書処理システムの蓄積文書処理方法であって、
　前記画像形成装置が、外部のネットワーク機器から前記文書蓄積手段に蓄積された蓄積文書に対する認証要求を受信すると前記認証要求に応じて前記画像形成装置内部で確立されたセッションのセッション情報を取得して、前記ネットワーク機器に蓄積文書処理用画面を作成させるための画面用データにセッション情報を包含させて前記ネットワーク機器に送信する段階と、
　前記ネットワーク機器が、前記画像形成装置から受信した画像用データに包含されているセッション情報を取得し、ユーザからの指示に応じて前記セッション情報を利用した所定の処理要求を前記画像形成装置に送信する段階と、
　前記画像形成装置が、前記ネットワーク機器からセッション情報を利用した所定の処理要求を受信すると、セッション情報を用いて前記文書蓄積手段に蓄積された蓄積文書に対する所定の処理要求を実行する段階と
を有することを特徴とする蓄積文書処理方法。
【請求項２０】
　１つ以上の外部のネットワーク機器と、前記外部のネットワーク機器にネットワークを介して接続された画像形成装置とを用いて、前記画像形成装置の文書蓄積手段に蓄積された蓄積文書に対して所定の処理を実行する蓄積文書処理システムの蓄積文書処理方法であって、
　前記画像形成装置が、外部のネットワーク機器から前記文書蓄積手段に蓄積された蓄積文書に対する認証要求および文書取得条件情報を受信すると、前記認証要求に応じて前記画像形成装置内部で確立されたセッションのセッション情報を取得する段階と、
　前記画像形成装置が、前記セッション情報および文書取得条件情報を用いて前記文書蓄積手段に蓄積された蓄積文書に対する所定の処理要求を実行する段階と
を有することを特徴とする蓄積文書処理方法。
【発明の詳細な説明】
【技術分野】
【０００１】
　本発明は、画像形成装置、蓄積文書処理方法および蓄積文書処理システムに係り、特に蓄積文書に対して所定の処理を行う画像形成装置、蓄積文書処理方法および蓄積文書処理システムに関する。
【背景技術】
【０００２】
　近年、プリンタ，コピー，ファクシミリおよびスキャナなどの各装置の機能を１つの筐体内に収納した画像形成装置（以下、融合機という）が知られるようになった。この融合機は、１つの筐体内に表示部，印刷部および撮像部などを設けると共に、プリンタ，コピー，ファクシミリおよびスキャナにそれぞれ対応する４種類のソフトウェアを設け、そのソフトウェアを切り替えることより、プリンタ，コピー，ファクシミリおよびスキャナとして動作させるものである。
【０００３】
　このような融合機は、例えば文書管理データベース（以下、文書管理ＤＢという）に文書ファイルを蓄積文書として格納している。融合機はネットワーク機器や他の融合機などにネットワークを介して接続され、ネットワーク機器などからの指示により文書管理ＤＢに格納している蓄積文書を送信する。なお、セキュリティ上の問題に対応するため、融合機は文書管理ＤＢに格納している蓄積文書にパスワードを設定することが多い。
【０００４】
　例えば融合機の文書管理ＤＢに格納されている蓄積文書を取得する場合、ネットワーク機器は所望の蓄積文書を識別するための文書ＩＤおよびその蓄積文書の使用権限を証明するパスワードを融合機に送信する。融合機はパスワード認証が成功すれば、その文書ＩＤに対応する蓄積文書を文書管理ＤＢから読み出てネットワーク機器に送信していた。
【０００５】
　なお、ネットワーク機器はブラウザ（Browser）などを利用することで、融合機に対して蓄積文書の取得要求を行っていた。特許文献１には、上記のような融合機の一例が記載されている。
【特許文献１】特開２００２−８４３８３号公報
【発明の開示】
【発明が解決しようとする課題】
【０００６】
　しかしながら、従来の融合機は蓄積文書の出力要求，取得要求の他、蓄積文書に関する様々な処理要求をネットワーク機器や他の融合機から受信する。このため、融合機は蓄積文書に関する様々な処理要求に応じたユーザサービスのプロセスが設けられている。
【０００７】
　したがって、蓄積文書にパスワードが設定されている場合、蓄積文書に関する様々な処理要求に応じたユーザサービスのプロセスごとにパスワード認証の機能を設ける必要があり、機能が重複するという問題があった。
【０００８】
　また、融合機は文書管理ＤＢから読み出した蓄積文書を複数のユーザサービスのプロセスで取り扱う場合、読み出した蓄積文書をそのままユーザサービスのプロセス間で転送する。したがって、融合機のリソースを無駄に浪費しているという問題があった。
【０００９】
　本発明は、上記の点に鑑みなされたもので、蓄積文書に対する認証機能を共有することができ、ネットワークおよび融合機のリソースを浪費することなく蓄積文書に対して所定の処理を行うことができる画像形成装置，蓄積文書処理方法および蓄積文書処理システムを提供することを目的とする。
【課題を解決するための手段】
【００１０】
　そこで、上記課題を解決するため、本発明は、画像形成処理で使用されるハードウェア資源と、画像形成に係る処理を行うプログラムと、蓄積文書を蓄積する文書蓄積手段とを有する画像形成装置であって、外部のネットワーク機器から前記文書蓄積手段に蓄積された蓄積文書に対する認証要求を受信すると前記認証要求に応じて前記画像形成装置内部で確立されたセッションのセッション情報を取得して、前記ネットワーク機器に蓄積文書処理用画面を作成させるための画面用データにセッション情報を包含させて前記ネットワーク機器に送信し、前記ネットワーク機器からセッション情報を利用した所定の処理要求を受信すると、セッション情報を用いて前記文書蓄積手段に蓄積された蓄積文書に対する所定の処理要求を実行することを特徴とする。
【００１１】
　また、本発明は、画像形成処理で使用されるハードウェア資源と、画像形成に係る処理を行うプログラムと、蓄積文書を蓄積する文書蓄積手段とを有する画像形成装置であって、外部のネットワーク機器から前記文書蓄積手段に蓄積された蓄積文書に対する認証要求および文書取得条件情報を受信すると、前記認証要求に応じて前記画像形成装置内部で確立されたセッションのセッション情報を取得し、前記セッション情報および文書取得条件情報を用いて前記文書蓄積手段に蓄積された蓄積文書に対する所定の処理要求を実行することを特徴とする。
【００１２】
　また、本発明は、画像形成処理で使用されるハードウェア資源と、画像形成に係る処理を行うプログラムと、蓄積文書を蓄積する文書蓄積手段とを有する画像形成装置の蓄積文書処理方法であって、外部のネットワーク機器から前記文書蓄積手段に蓄積された蓄積文書に対する認証要求を受信すると前記認証要求に応じて前記画像形成装置内部で確立されたセッションのセッション情報を取得して、前記ネットワーク機器に蓄積文書処理用画面を作成させるための画面用データにセッション情報を包含させて前記ネットワーク機器に送信する段階と、前記ネットワーク機器からセッション情報を利用した所定の処理要求を受信すると、セッション情報を用いて前記文書蓄積手段に蓄積された蓄積文書に対する所定の処理要求を実行する段階とを有することを特徴とする。
【００１３】
　また、本発明は、画像形成処理で使用されるハードウェア資源と、画像形成に係る処理を行うプログラムと、蓄積文書を蓄積する文書蓄積手段とを有する画像形成装置の蓄積文書処理方法であって、外部のネットワーク機器から前記文書蓄積手段に蓄積された蓄積文書に対する認証要求および文書取得条件情報を受信すると、前記認証要求に応じて前記画像形成装置内部で確立されたセッションのセッション情報を取得する段階と、前記セッション情報および文書取得条件情報を用いて前記文書蓄積手段に蓄積された蓄積文書に対する所定の処理要求を実行する段階とを有することを特徴とする。
【００１４】
　また、本発明は、１つ以上の外部のネットワーク機器と、前記外部のネットワーク機器にネットワークを介して接続された画像形成装置とを用いて、前記画像形成装置の文書蓄積手段に蓄積された蓄積文書に対して所定の処理を実行する蓄積文書処理システムであって、前記画像形成装置は、外部のネットワーク機器から前記文書蓄積手段に蓄積された蓄積文書に対する認証要求を受信すると前記認証要求に応じて前記画像形成装置内部で確立されたセッションのセッション情報を取得して、前記ネットワーク機器に蓄積文書処理用画面を作成させるための画面用データにセッション情報を包含させて前記ネットワーク機器に送信する機能と、前記ネットワーク機器からセッション情報を利用した所定の処理要求を受信すると、セッション情報を用いて前記文書蓄積手段に蓄積された蓄積文書に対する所定の処理要求を実行する機能とを有し、前記外部のネットワーク機器は、受信した画像用データに包含されているセッション情報を取得し、ユーザからの指示に応じて前記セッション情報を利用した所定の処理要求を前記画像形成装置に送信する機能を有することを特徴とする。
【００１５】
　また、本発明は、１つ以上の外部のネットワーク機器と、前記外部のネットワーク機器にネットワークを介して接続された画像形成装置とを用いて、前記画像形成装置の文書蓄積手段に蓄積された蓄積文書に対して所定の処理を実行する蓄積文書処理システムであって、前記画像形成装置は、外部のネットワーク機器から前記文書蓄積手段に蓄積された蓄積文書に対する認証要求および文書取得条件情報を受信すると、前記認証要求に応じて前記画像形成装置内部で確立されたセッションのセッション情報を取得する機能と、前記セッション情報および文書取得条件情報を用いて前記文書蓄積手段に蓄積された蓄積文書に対する所定の処理要求を実行する機能とを有することを特徴とする。
【００１６】
　また、本発明は、１つ以上の外部のネットワーク機器と、前記外部のネットワーク機器にネットワークを介して接続された画像形成装置とを用いて、前記画像形成装置の文書蓄積手段に蓄積された蓄積文書に対して所定の処理を実行する蓄積文書処理システムの蓄積文書処理方法であって、前記画像形成装置が、外部のネットワーク機器から前記文書蓄積手段に蓄積された蓄積文書に対する認証要求を受信すると前記認証要求に応じて前記画像形成装置内部で確立されたセッションのセッション情報を取得して、前記ネットワーク機器に蓄積文書処理用画面を作成させるための画面用データにセッション情報を包含させて前記ネットワーク機器に送信する段階と、前記ネットワーク機器が、前記画像形成装置から受信した画像用データに包含されているセッション情報を取得し、ユーザからの指示に応じて前記セッション情報を利用した所定の処理要求を前記画像形成装置に送信する段階と、前記画像形成装置が、前記ネットワーク機器からセッション情報を利用した所定の処理要求を受信すると、セッション情報を用いて前記文書蓄積手段に蓄積された蓄積文書に対する所定の処理要求を実行する段階とを有することを特徴とする。
【００１７】
　また、本発明は、１つ以上の外部のネットワーク機器と、前記外部のネットワーク機器にネットワークを介して接続された画像形成装置とを用いて、前記画像形成装置の文書蓄積手段に蓄積された蓄積文書に対して所定の処理を実行する蓄積文書処理システムの蓄積文書処理方法であって、前記画像形成装置が、外部のネットワーク機器から前記文書蓄積手段に蓄積された蓄積文書に対する認証要求および文書取得条件情報を受信すると、前記認証要求に応じて前記画像形成装置内部で確立されたセッションのセッション情報を取得する段階と、前記画像形成装置が、前記セッション情報および文書取得条件情報を用いて前記文書蓄積手段に蓄積された蓄積文書に対する所定の処理要求を実行する段階とを有することを特徴とする。
【００１８】
　本発明によれば、画像形成装置内部で確立されたセッションのセッション情報を利用して蓄積文書処理要求を行うことにより、既に認証された蓄積文書を識別することができるので、蓄積文書に対する認証機能を共有することが可能である。また、セッション情報を利用して蓄積文書処理要求を行うことにより、画像形成装置のユーザサービス間で無駄に蓄積文書を転送させる必要がなく、リソースの浪費を防ぐことができる。
【発明の効果】
【００１９】
　本発明によれば、蓄積文書に対する認証機能を共有することができ、リソースの浪費を防ぐことができる画像形成装置、蓄積文書処理方法および蓄積文書処理システムを提供することができる。
【発明を実施するための最良の形態】
【００２０】
　次に、本発明の実施の形態について図面に基づいて説明する。
【００２１】
　図１は、本発明による融合機の一実施例の構成図を示す。融合機１は、ソフトウェア群２と，融合機起動部３と，ハードウェア資源４とを含むように構成される。
【００２２】
　融合機起動部３は融合機１の電源投入時に最初に実行され、アプリケーション層５およびプラットフォーム６を起動する。例えば融合機起動部３は、アプリケーション層５およびプラットフォーム６のプログラムをハードディスク装置（以下、ＨＤＤという）などから読み出し、読み出した各プログラムをメモリ領域に転送して起動する。
【００２３】
　ハードウェア資源４は、プロッタ１１と，スキャナ１２と，ファクシミリなどのその他のハードウェアリソース１３とを含む。ソフトウェア群２は、ＵＮＩＸ（登録商標）などのオペレーティングシステム（以下、ＯＳという）上に起動されているアプリケーション層５とプラットフォーム６とを含む。アプリケーション層５は、プリンタ，コピー，ファックスおよびスキャナなどの画像形成にかかるユーザサービスにそれぞれ固有の処理を行うプログラムを含む。
【００２４】
　アプリケーション層５は、プリンタアプリ２１と，コピーアプリ２２と，ファックスアプリ２３と，スキャナアプリ２４と，ＷＥＢページアプリ２５と，１つ以上の共有ファンクション（以下、ＳＦという）２８と，ＷＥＢページアプリ２５とＳＦ２８との間に設けられたＷＥＢサービスファンクション（以下、ＷＳＦという）２７とを含む。
【００２５】
　ＷＳＦ２７は、予め定義されている関数によりＷＥＢページアプリ２５からの処理要求を受信するアプリケーションプログラムインターフェース（以下、ＡＰＩという）５１を有する。また、ＳＦ２８は予め定義されている関数によりＷＳＦ２７からの処理要求を受信するＡＰＩ５２を有する。ＷＳＦ２７はＡＰＩ５１を介してＷＥＢページアプリ２５からの処理要求を受信すると、その処理要求に応じてＳＦ２８を選択する。ＷＳＦ２７はＡＰＩ５１を介して受信した処理要求を、その処理要求に応じて選択したＳＦ２８にＡＰＩ５２を介して送信する。ＳＦ２８はＡＰＩ５２を介して処理要求を受信すると、その処理要求に応じた処理を行う。
【００２６】
　例えば図１の融合機１は２つのＳＦ２８を含んでいるが、一方のＳＦ２８が後述するネットワークサービス１４２の処理を行い、他方のＳＦ２８が後述する文書管理サービス１４３の処理を行う。
【００２７】
　プラットフォーム６は、アプリケーション層５からの処理要求を解釈してハードウェア資源４の獲得要求を発生するコントロールサービス層９と、１つ以上のハードウェア資源４の管理を行ってコントロールサービス層９からの獲得要求を調停するシステムリソースマネージャ（以下、ＳＲＭという）３９と、ＳＲＭ３９からの獲得要求に応じてハードウェア資源４の管理を行うハンドラ層１０とを含む。なお、プラットフォーム６は予め定義されている関数により、アプリケーション層５からの処理要求を受信するＡＰＩ５３を有するように構成されている。ＯＳは、アプリケーション層５およびプラットフォーム６の各ソフトウェアをプロセスとして並列実行する。
【００２８】
　コントロールサービス層９は、ネットワークコントロールサービス（以下、ＮＣＳという）３１，デリバリーコントロールサービス（以下、ＤＣＳという）３２，オペレーションパネルコントロールサービス（以下、ＯＣＳという）３３，ファックスコントロールサービス（以下、ＦＣＳという）３４，エンジンコントロールサービス（以下、ＥＣＳという）３５，メモリコントロールサービス（以下、ＭＣＳという）３６，ユーザインフォメーションコントロールサービス（以下、ＵＣＳという）３７，システムコントロールサービス（以下、ＳＣＳという）３８など、一つ以上のサービスモジュールを含むように構成されている。
【００２９】
　ＮＣＳ３１のプロセスは、ネットワーク側から各プロトコルによって受信したデータを各アプリケーションに振り分けたり、各アプリケーションからのデータをネットワーク側に送信する際の仲介を行う。例えばＮＣＳ３１は、ネットワークを介して接続されるネットワーク機器とのデータ通信をｈｔｔｐｄ（HyperText Transfer Protocol Daemon）により、ＨＴＴＰ（HyperText Transfer Protocol）で制御する。
【００３０】
　ＤＣＳ３２のプロセスは、蓄積文書の配送などの制御を行う。ＯＣＳ３３のプロセスは、オペレータと本体制御との間の情報伝達手段となるオペレーションパネルの制御を行う。ＦＣＳ３４のプロセスは、アプリケーション層５からＰＳＴＮまたはＩＳＤＮ網を利用したファックス送受信，バックアップ用のメモリで管理されている各種ファックスデータの登録／引用，ファックス読み取り，ファックス受信印刷などを行うためのＡＰＩを提供する。
【００３１】
　ＥＣＳ３５のプロセスは、プロッタ１１，スキャナ１２，ハードウェアリソース１３などのエンジン部の制御を行う。ＭＣＳ３６のプロセスは、メモリの取得および解放，ＨＤＤの利用，画像データの圧縮および伸張などのメモリ制御を行う。ＵＣＳ３７のプロセスは、ユーザ情報の管理を行うものである。ＳＣＳ３８のプロセスは、アプリケーション管理，操作部制御，システム画面表示，ＬＥＤ表示，ハードウェア資源管理，割り込みアプリケーション制御などの処理を行う。
【００３２】
　ＳＲＭ３９のプロセスは、ＳＣＳ３８と共にシステムの制御およびハードウェア資源４の管理を行うものである。例えばＳＲＭ３９のプロセスは、プロッタ１１やスキャナ１２などのハードウェア資源４を利用する上位層からの獲得要求に従って調停を行い、実行制御する。
【００３３】
　具体的に、ＳＲＭ３９のプロセスは獲得要求されたハードウェア資源４が利用可能であるか（他の獲得要求により利用されていないかどうか）を判定し、利用可能であれば獲得要求されたハードウェア資源４が利用可能である旨を上位層に通知する。また、ＳＲＭ３９のプロセスは上位層からの獲得要求に対してハードウェア資源４を利用するためのスケジューリングを行い、要求内容（例えば、プリンタエンジンによる紙搬送と作像動作，メモリ確保，ファイル生成など）を直接実施している。
【００３４】
　また、ハンドラ層１０は後述するファックスコントロールユニット（以下、ＦＣＵという）の管理を行うファックスコントロールユニットハンドラ（以下、ＦＣＵＨという）４０と、プロセスに対するメモリの割り振り及びプロセスに割り振ったメモリの管理を行うイメージメモリハンドラ（以下、ＩＭＨという）４１とを含む。ＳＲＭ３９，ＦＣＵＨ４０等は、予め定義されている関数によりハードウェア資源４に対する処理要求を送信するエンジンＩ／Ｆ５４を利用して、ハードウェア資源４に対する処理要求を行う。
【００３５】
　図１の構成により、融合機１は各アプリケーションで共通的に必要な処理をプラットフォーム６で一元的に処理することができる。次に、融合機１のハードウェア構成について説明する。
【００３６】
　図２は、本発明による融合機の一実施例のハードウェア構成図である。融合機１は、コントローラ６０，オペレーションパネル８０，ＦＣＵ８１，エンジン部８２を有する。コントローラ６０は、ＣＰＵ６１，システムメモリ６２，ノースブリッジ（ＮＢ）６３，サウスブリッジ（ＳＢ）６４，ＡＳＩＣ６６，ローカルメモリ６７，ＨＤＤ６８、ネットワークインターフェースカード（ＮＩＣ）６９，ＵＳＢデバイス７０，ＩＥＥＥ１３９４デバイス７１，セントロニクス７２を有する。オペレーションパネル８０は、コントローラ６０のＡＳＩＣ６６に接続されている。また、ＦＣＵ８１およびエンジン部８２はコントローラ６０のＡＳＩＣ６６にＰＣＩバス８３で接続されている。
【００３７】
　コントローラ６０は、ＡＳＩＣ６６にローカルメモリ６７，ＨＤＤ６８などが接続されると共に、ＣＰＵ６１とＡＳＩＣ６６とがＣＰＵチップセットのＮＢ６３を介して接続されている。コントローラ６０は、ＮＢ６３を介してＣＰＵ６１とＡＳＩＣ６６とを接続することにより、ＣＰＵ６１のインターフェースが公開されていない場合に対応する。
【００３８】
　なお、ＡＳＩＣ６６とＮＢ６３とはＡＧＰ（Accelerated
Graphics Port ）６５を介して接続されている。このように、図１のアプリケーション５やプラットフォーム６を形成する一つ以上のプロセスを実行制御するため、ＡＳＩＣ６６とＮＢ６３とを低速のＰＣＩバスでなくＡＧＰ６５を介して接続することで、パフォーマンスの低下を防いでいる。
【００３９】
　ＣＰＵ６１は、融合機１の全体制御を行うものである。ＣＰＵ６１は、ＮＣＳ３１，ＤＣＳ３２，ＯＣＳ３３，ＦＣＳ３４，ＥＣＳ３５，ＭＣＳ３６，ＵＣＳ３７，ＳＣＳ３８をＯＳ上に起動して実行させると共に、アプリケーション５を形成するプリンタアプリ２１，コピーアプリ２２，ファックスアプリ２３，スキャナアプリ２４，ＷＥＢページアプリ２５，ＷＳＦ２７，ＳＦ２８を起動して実行させる。
【００４０】
　ＮＢ６３は、ＣＰＵ６１，システムメモリ６２，ＳＢ６４，ＡＳＩＣ６６，ＮＩＣ６９，ＵＳＢデバイス７０，ＩＥＥＥ１３９４デバイス７１およびセントロニクス７２を接続するためのブリッジである。ＳＢ６４，ＮＩＣ６９，ＵＳＢデバイス７０，ＩＥＥＥ１３９４デバイス７１１およびセントロニクス７２は、ＰＣＩバス７３を介してＮＢ６３に接続されている。なお、ＳＢ６４は、ＰＣＩバス７３とＲＯＭや周辺デバイス等とを接続するためのブリッジである。
【００４１】
　システムメモリ６２は、融合機１の描画用メモリなどとして用いるメモリである。ローカルメモリ６７はコピー用画像バッファ，符号バッファとして用いるメモリである。ＡＳＩＣ６６は、画像処理用のハードウェア要素を有する画像処理用途向けのＩＣである。ＨＤＤ６８は、画像データの蓄積，文書データの蓄積，プログラムの蓄積，フォントデータの蓄積，フォームの蓄積などを行うストレージ（補助記憶装置）の一例である。
【００４２】
　ＮＩＣ６９は、融合機１をネットワークに接続するインターフェース機器である。ＵＳＢデバイス７０，ＩＥＥＥ１３９４デバイス７１およびセントロニクス７２は、夫々の規格に準じたインターフェースである。また、オペレーションパネル８０は、オペレータからの入力操作を受け付けると共に、オペレータに向けた表示を行う操作部である。
【００４３】
　なお、ＦＣＵ８１はバックアップ用のメモリを有している。ＦＣＵ８１が有するメモリは、例えば融合機１の電源がＯＦＦのときに受信したファクシミリデータを一時的に格納するために利用される。
【００４４】
　以下、融合機１により実現される蓄積文書取得方法について図面を参照しつつ説明していく。図３は、本発明による蓄積文書取得方法の第１実施例の説明図を示す。図４は、本発明による蓄積文書取得方法の第１実施例のシーケンス図を示す。なお、図３および図４では説明に必要のない構成を省略している。
【００４５】
　図３および図４の蓄積文書取得方法は融合機１にインターネットなどのネットワーク１３０を介して接続されるネットワーク機器１２０が、融合機１に蓄積されている文書ファイル（以下、蓄積文書という）を取得するものである。
【００４６】
　まず、ネットワーク機器１２０のブラウザ１２１は融合機１に蓄積されている蓄積文書のリストおよび文書ＩＤを例えばＨＴＴＰリクエストおよびＨＴＴＰレスポンスを用いて融合機１から入手しているものとする。ネットワーク機器１２０を操作するユーザはブラウザ１２１の画面上に表示されている蓄積文書のリストから取得を所望する蓄積文書を選択すると共に、蓄積文書の取得にパスワードの入力が必要であればパスワードを入力する。そして、ユーザは蓄積文書を融合機１から取得するために、例えばブラウザ１２１の画面上に設けられている所定のボタンをマウス等でクリックする。
【００４７】
　ステップＳ１では、ネットワーク機器１２０のブラウザ１２１が、ユーザにより選択された蓄積文書の文書ＩＤおよびパスワードを含むＨＴＴＰリクエストを作成し、インターネットなどのネットワーク１３０を介して文書ＩＤおよびパスワードを融合機１に送信する。ネットワーク機器１２０から送信されたＨＴＴＰリクエストは、ＮＣＳ３１のｈｔｔｐｄ１４１を介してネットワークサービス１４２に供給される。
【００４８】
　ステップＳ１に続いてステップＳ２に進み、ネットワークサービス１４２はネットワーク機器１２０から供給されたＨＴＴＰリクエストに含まれる文書ＩＤおよびパスワードを取得し、その文書ＩＤおよびパスワードを文書管理サービス１４３に送信する。ステップＳ２に続いてステップＳ３に進み、文書管理サービス１４３はネットワークサービス１４２から受信した文書ＩＤおよびパスワードをＭＣＳ３６に送信し、パスワードの認証要求を行う。ＭＣＳ３６は、文書管理サービス１４３から受信した文書ＩＤおよびパスワードを用いてパスワード認証を行う。ステップＳ３に続いてステップＳ４に進み、ＭＣＳ３６はパスワード認証の結果を文書管理サービス１４３に送信する。
【００４９】
　文書ＩＤのパスワード認証が正常に終了すると、文書管理サービス１４３はネットワークサービス１４２との間で確立したセッションのセッションＩＤと対応付けて図５に表すようなセッション情報を生成する。図５は、セッションについて説明するための説明図である。図５（Ａ）はネットワークサービス１４２と文書管理サービス１４３との間で確立したセッションを識別するためのセッションＩＤである。図５（Ｂ）は、セッションＩＤと対応付けられたセッション情報である。
【００５０】
　セッション情報は、文書管理サービス１４３により保持される。セッション情報は、セッション内容情報およびセッション管理情報を含む。セッション内容情報は、セッションＩＤ，セッションの有効期限，蓄積文書のファイル数，文書ＩＤとしてのファイルＩＤとパスワードとが組になった構造体の配列を情報として有している。また、セッション管理情報はカレントのセッション番号，発行セッション数を情報として有している。なお、ファイルＩＤとパスワードとが組になった構造体の配列は、認証済みの蓄積文書を表すものである。
【００５１】
　したがって、セッションＩＤおよびセッション情報を利用することにより、文書管理サービス１４３はネットワークサービス１４２と文書管理サービス１４３との間で確立したセッションごとに、そのセッションで認証済みの蓄積文書を管理できる。即ち、セッションＩＤは蓄積文書が認証されたことの証明情報として機能する。なお、文書管理サービス１４３はセキュリティ上の問題を考慮し、作成されてから所定時間が経過したセッション情報を無効としている。
【００５２】
　ステップＳ４に続いてステップＳ５に進み、文書管理サービス１４３はセッションＩＤおよび後述する文書取得可能範囲情報をネットワークサービス１４２に供給する。セッションＩＤおよび文書取得可能範囲情報が供給されると、ネットワークサービス１４２は蓄積文書取得用のＷｅｂページをネットワーク機器１２０に作成させるための画面用データを作成する。画面用データは、文書管理サービス１４３から供給されるセッションＩＤおよび文書取得可能範囲情報を包含している。文書取得可能範囲情報とは、蓄積文書の文書画像形式，蓄積文書のページ番号などである。また、文書取得可能範囲情報はステップＳ１でネットワーク機器１２０から供給された文書ＩＤに応じてユーザが取得する可能性の高い蓄積文書の要素を含むようにしてもよい。
【００５３】
　ステップＳ５に続いてステップＳ６に進み、ネットワークサービス１４２は蓄積文書取得用のＷｅｂページをネットワーク機器１２０に作成させるための画面用データ（以下、単に画面用データという）をＮＣＳ３１のｈｔｔｐｄ１４１，ネットワーク１３０を介してネットワーク機器１２０のブラウザ１２１に送信する。この画面用データは、例えばセッションＩＤを図６のように包含している。
【００５４】
　図６は、画面用データに包含されたセッションＩＤの一例について説明する図を示す。図６では、セッションＩＤを表す「name=”sid” value=”344:455:566:778”」が画面用データの下線部分１５０に埋め込まれている。なお、セッションＩＤと同様に、画面用データには文書取得可能範囲情報が埋め込まれている。
【００５５】
　ネットワーク機器１２０のブラウザ１２１は供給された画面用データを利用して蓄積文書取得用のＷｅｂページを画面上に表示する。ユーザがブラウザ１２１の画面上に表示されている認証済み蓄積文書のリストから一つの蓄積文書を選択すると、ブラウザ１２１は図７のような文書取得条件選択画面を画面上に表示する。
【００５６】
　図７は、文書取得条件選択画面の一例のイメージ図を示す。図７の文書取得条件選択画面では、文書取得条件の一例として蓄積文書の文書画像形式，蓄積文書のページ番号を選択する。例えば図７では、文書画像形式としてＰＤＦ（Portable Document Format）またはＪＰＥＧ（Joint Photographic Experts Group）を選択している。
【００５７】
　ユーザがブラウザ１２１の画面上に表示された文書取得条件選択画面から文書取得条件を選択すると、ブラウザ１２１はステップＳ７に進む。ブラウザ１２１はユーザにより選択された蓄積文書の文書ＩＤ，ステップＳ６で供給されたセッションＩＤ，文書取得条件選択画面から選択された文書取得条件を含むＨＴＴＰリクエストを作成し、そのＨＴＴＰリクエストをネットワーク１３０を介して融合機１に送信する。ネットワーク機器１２０から送信されたＨＴＴＰリクエストは、ＮＣＳ３１のｈｔｔｐｄ１４１を介して文書管理サービス１４３に供給される。
【００５８】
　さらに、ステップＳ６，Ｓ７の処理を他の画面用データを用いて詳細に説明する。ステップＳ６に進み、ネットワークサービス１４２は図８のような画像用データをＮＣＳ３１のｈｔｔｐｄ１４１，ネットワーク１３０を介してネットワーク機器１２０のブラウザ１２１に送信する。
【００５９】
　図８は、セッションＩＤを包含した画面用データの一例について説明する図である。図８の画像用データは、セッションＩＤを表す「name=”sid” value=”326482964264”」が非表示で埋め込まれている。また、図８の画像用データは、文書ＩＤを表す「name=”did”value=”212”」，文書画像形式を表す「name=”rid” value=”5-1-4-3-4-3”」、蓄積文書のページ番号を表す「name=”cid” value=”1-2-3-4-5”」が非表示で埋め込まれている。例えば文書ＩＤ，文書画像形式および蓄積文書のページ番号は、文書取得可能範囲情報を構成する。
【００６０】
　ネットワーク機器１２０のブラウザ１２１は供給された図８の画面用データを利用して図９のような蓄積文書取得用のＷｅｂページを画面上に表示する。図９は、蓄積文書取得用のＷｅｂページの一例のイメージ図である。ユーザがブラウザ１２１の画面上に表示されている蓄積文書取得用のＷｅｂページのＯＫボタンをクリックすると、ブラウザ１２１はステップＳ７に進み、図８の画面用データを利用して図１０のようなＨＴＴＰリクエストを作成する。
【００６１】
　図１０は、セッションＩＤを包含したＨＴＴＰリクエストの一例について説明する図である。図１０のＨＴＴＰリクエストは、セッションＩＤを表す「sid=326482964264」が下線部分１６０に埋め込まれている。また、図１０のＨＴＴＰリクエストは文書ＩＤを表す「did=212」，文書画像形式を表す「rid=5-1-4-3-4-3」、蓄積文書のページ番号を表す「cid=1-2-3-4-5」が下線部分１６１に埋め込まれている。
【００６２】
　ブラウザ１２１は、作成したＨＴＴＰリクエストをネットワーク１３０を介して融合機１に送信する。ネットワーク機器１２０から送信されたＨＴＴＰリクエストは、ＮＣＳ３１のｈｔｔｐｄ１４１を介して文書管理サービス１４３に供給される。
【００６３】
　文書管理サービス１４３はネットワーク機器１２０から供給されたＨＴＴＰリクエストに含まれる文書ＩＤ，セッションＩＤおよび文書取得条件を取得し、そのセッションＩＤの正しさを確認する。例えばセッションＩＤの正しさは、セッションＩＤと対応付けられたセッション情報を利用して行うことができる。
【００６４】
　セッションＩＤの正しさが確認できると、文書管理サービス１４３はステップＳ８に進む。文書管理サービス１４３は、文書ＩＤおよび文書取得条件をＭＣＳ３６に送信し、蓄積文書の取得要求を行う。
【００６５】
　ＭＣＳ３６は、文書管理サービス１４３から受信した文書ＩＤおよび文書取得条件を用いて例えばＨＤＤ６８から蓄積文書を取得する。ステップＳ８に続いてステップＳ９に進み、ＭＣＳ３６は取得した蓄積文書を文書管理サービス１４３に送信する。
【００６６】
　そして、ステップＳ１０では、文書管理サービス１４３が、ＭＣＳ３６から受信した蓄積文書を、ＮＣＳ３１のｈｔｔｐｄ１４１を介してネットワーク機器１２０に送信する。ネットワーク機器１２０は、例えば融合機１から受信した蓄積文書をブラウザ１２１の画面上に表示する。
【００６７】
　したがって、ユーザはネットワーク機器１２０のブラウザ１２１を操作することにより、融合機１に蓄積されている蓄積文書のうち文書取得条件に該当する蓄積文書の少なくとも一部を指定して取得することが可能である。また、図３の融合機１ではセッションＩＤを利用することで蓄積文書のデータ自体を無駄に転送することがなくなり、ハードウェア資源４の浪費を防ぐことができる。
【００６８】
　さらに、セッション情報が認証済みの蓄積文書を表す情報を有するため、本発明の蓄積文書取得方法によれば文書取得の度にパスワードの認証処理を行う必要がなく、ユーザの操作負担を軽減することができる。なお、セッション情報は作成されてから所定時間が経過すると無効とされるため、セキュリティ上も優れている。
【００６９】
　図１１は、本発明による蓄積文書取得方法の第２実施例の説明図を示す。図１１の蓄積文書取得方法は、融合機１にネットワーク１３０を介して接続される複数のネットワーク機器１２０ａ，１２０ｂが、融合機１に蓄積されている蓄積文書を取得するものである。
【００７０】
　なお、図１１では説明に必要のない機能構成を省略している。また、図１１のステップＳ２１〜ステップＳ２８の処理とステップＳ３１〜ステップＳ３８の処理とは図３のステップＳ１〜ステップＳ１０の処理とそれぞれ同様であるので、複数のネットワーク機器１２０ａ，１２０ｂが、融合機１に蓄積されている蓄積文書を取得するために必要な処理について説明する。
【００７１】
　文書管理サービス１４３は、ＭＣＳ３６から文書ＩＤのパスワード認証が正常に終了した旨が通知されると、ネットワークサービス１４２との間で確立したセッションのセッションＩＤと対応付けてセッション情報を生成する。また、ネットワークサービス１４２は作成したセッションＩＤおよびセッション情報を、ＨＴＴＰリクエストしてきた対象に対応させて管理する。
【００７２】
　例えば図１１では、ステップＳ２３でＭＣＳ３６から文書ＩＤのパスワード認証が正常に終了した旨が通知されると、ネットワークサービス１４２はセッションＩＤおよびセッション情報を、ステップＳ２１でＨＴＴＰリクエストしてきたネットワーク機器１２０ａに対応させて管理する。また、ステップＳ３３でＭＣＳ３６から文書ＩＤのパスワード認証が正常に終了した旨が通知されると、ネットワークサービス１４２はセッションＩＤおよびセッション情報を、ステップＳ３１でＨＴＴＰリクエストしてきたネットワーク機器１２０ｂに対応させて管理する。
【００７３】
　通常、ネットワークサービス１４２は作成したセッションＩＤおよびセッション情報を、ステップＳ２１またはステップＳ３１でＨＴＴＰリクエストしてきたネットワーク機器１２０ａ，１２０ｂに対応させて管理する。
【００７４】
　したがって、ネットワーク機器１２０ａ，１２０ｂが蓄積文書に関する何らかのリクエストを行う場合、ネットワークサービス１４２にリクエストすればネットワークサービス１４２がネットワーク機器１２０ａ，１２０ｂに対応するセッションＩＤを自動的に利用する。
【００７５】
　しかしながら、蓄積文書を表示したＷｅｂページでなく蓄積文書を取得する場合、ネットワーク機器１２０ａ，１２０ｂはステップＳ２６，ステップＳ３６のように、文書管理サービス１４３に直接リクエストする必要がある。この場合、ネットワークサービス１４２がネットワーク機器１２０ａ，１２０ｂと対応させて管理しているセッションＩＤを利用することができず、蓄積文書に対するパスワード認証が再度必要となる。
【００７６】
　そこで、ステップＳ２５またはステップＳ３５でネットワーク機器１２０ａまたはネットワーク機器１２０ｂに送信する画面用データにセッションＩＤを包含させておくことにより、ネットワーク機器１２０ａ，１２０ｂはセッションＩＤを利用して、ステップＳ２６，ステップＳ３６のように、文書管理サービス１４３に直接リクエストすることができる。したがって、本発明の蓄積文書取得方法によれば文書取得の度にパスワードの認証処理を行う必要がなく、ユーザの操作負担を軽減することができる。
【００７７】
　図１２は、本発明による蓄積文書取得方法の第３実施例の説明図を示す。図１３は、本発明による蓄積文書取得方法の第３実施例のシーケンス図である。図１２および図１３の蓄積文書取得方法は、ネットワーク１３０を介して接続されるネットワーク機器１２０が、融合機１に蓄積されている蓄積文書を取得するものである。なお、図１２および図１３では説明に必要のない構成を省略している。
【００７８】
　ステップＳ４１では、ネットワーク機器１２０のブラウザ１２１が、ユーザにより選択された蓄積文書の文書ＩＤ，パスワードおよび文書取得条件を含むＨＴＴＰリクエストを作成し、そのＨＴＴＰリクエストをネットワーク１３０を介して融合機１に送信する。ネットワーク機器１２０から送信されたＨＴＴＰリクエストは、ＮＣＳ３１のｈｔｔｐｄ１４１を介してネットワークサービス１４２に供給される。
【００７９】
　ステップＳ４１に続いてステップＳ４２に進み、ネットワークサービス１４２はネットワーク機器１２０から供給されたＨＴＴＰリクエストに含まれる文書ＩＤ，パスワードおよび文書取得条件を取得し、その文書ＩＤおよびパスワードを文書管理サービス１４３に送信する。
【００８０】
　ステップＳ４２に続いてステップＳ４３に進み、文書管理サービス１４３はネットワークサービス１４２から受信した文書ＩＤおよびパスワードをＭＣＳ３６に送信し、パスワードの認証要求を行う。ＭＣＳ３６は、文書管理サービス１４３から受信した文書ＩＤおよびパスワードを用いてパスワード認証を行う。ステップＳ４３に続いてステップＳ４４に進み、ＭＣＳ３６はパスワード認証の結果を文書管理サービス１４３に送信する。文書ＩＤのパスワード認証が正常に終了すると、文書管理サービス１４３はネットワークサービス１４２との間で確立したセッションのセッションＩＤと対応付けて図５に表すようなセッション情報を生成する。
【００８１】
　ステップＳ４４に続いてステップＳ４５に進み、文書管理サービス１４３はセッションＩＤをネットワークサービス１４２に供給する。ステップＳ４５に続いてステップＳ４６に進み、ネットワークサービス１４２はステップＳ４５で供給されたセッションＩＤと、ステップＳ４１で供給された文書ＩＤおよび文書取得条件とを文書管理サービス１４３に送信する。
【００８２】
　文書管理サービス１４３はネットワークサービス１４２から供給された文書ＩＤ，セッションＩＤおよび文書取得条件を取得し、そのセッションＩＤの正しさを確認する。例えばセッションＩＤの正しさは、セッションＩＤと対応付けられたセッション情報を利用して行うことができる。セッションＩＤの正しさが確認できると、文書管理サービス１４３はステップＳ４７に進む。文書管理サービス１４３は、文書ＩＤおよび文書取得条件をＭＣＳ３６に送信し、蓄積文書の取得要求を行う。
【００８３】
　ＭＣＳ３６は、文書管理サービス１４３から受信した文書ＩＤおよび文書取得条件を用いて例えばＨＤＤ６８から蓄積文書を取得する。ステップＳ４７に続いてステップＳ４８に進み、ＭＣＳ３６は取得した蓄積文書を文書管理サービス１４３に送信する。ステップＳ４９では、文書管理サービス１４３が、ＭＣＳ３６から受信した蓄積文書を、ＮＣＳ３１のｈｔｔｐｄ１４１を介してネットワーク機器１２０に送信する。ネットワーク機器１２０は、例えば融合機１から受信した蓄積文書をブラウザ１２１の画面上に表示する。
【００８４】
　したがって、ユーザはネットワーク機器１２０のブラウザ１２１を操作することで、融合機１に蓄積されている蓄積文書のうち文書取得条件に該当する蓄積文書の少なくとも一部を指定して取得することが可能である。また、図１２の融合機１ではセッションＩＤを利用することで蓄積文書のデータ自体を無駄に転送することがなくなり、ハードウェア資源４の浪費を防ぐことができる。
【００８５】
　なお、本発明は上記の実施例に限定されるものでなく、本発明の範囲内で種々の変更が可能である。
【図面の簡単な説明】
【００８６】
【図１】本発明による融合機の一実施例の構成図である。
【図２】本発明による融合機の一実施例のハードウェア構成図である。
【図３】本発明による蓄積文書取得方法の第１実施例の説明図である。
【図４】本発明による蓄積文書取得方法の第１実施例のシーケンス図である。
【図５】セッションについて説明するための説明図である。
【図６】画面用データに包含されたセッションＩＤの一例について説明する図である。
【図７】文書取得条件選択画面の一例のイメージ図である。
【図８】セッションＩＤを包含した画面用データの一例について説明する図である。
【図９】蓄積文書取得用のＷｅｂページの一例のイメージ図である。
【図１０】セッションＩＤを包含したＨＴＴＰリクエストの一例について説明する図である。
【図１１】本発明による蓄積文書取得方法の第２実施例の説明図である。
【図１２】本発明による蓄積文書取得方法の第３実施例の説明図である。
【図１３】本発明による蓄積文書取得方法の第３実施例のシーケンス図である。
【符号の説明】
【００８７】
　１　　融合機
　２　　ソフトウェア群
　３　　融合機起動部
　４　　ハードウェア資源
　５　　アプリケーション層
　６　　プラットフォーム
　９　　コントロールサービス層
　１０　　ハンドラ層
　１１　　プロッタ
　１２　　スキャナ
　１３　　その他のハードウェアリソース
　２１　　プリンタアプリ
　２２　　コピーアプリ
　２３　　ファックスアプリ
　２４　　スキャナアプリ
　２５　　ＷＥＢページアプリ
　２７　　ＷＥＢサービスファンクション（ＷＳＦ）
　２８　　共有ファンクション（ＳＦ）
　３１　　ネットワークコントロールサービス（ＮＣＳ）
　３２　　デリバリーコントロールサービス（ＤＣＳ）
　３３　　オペレーションパネルコントロールサービス（ＯＣＳ）
　３４　　ファックスコントロールサービス（ＦＣＳ）
　３５　　エンジンコントロールサービス（ＥＣＳ）
　３６　　メモリコントロールサービス（ＭＣＳ）
　３７　　ユーザインフォメーションコントロールサービス（ＵＣＳ）
　３８　　システムコントロールサービス（ＳＣＳ）
　３９　　システムリソースマネージャ（ＳＲＭ）
　４０　　ファックスコントロールユニットハンドラ（ＦＣＵＨ）
　４１　　イメージメモリハンドラ（ＩＭＨ）
　５１〜５３　　アプリケーションプログラムインターフェース（ＡＰＩ）
　５４　　エンジンＩ／Ｆ
　６０　　コントローラ
　６１　　ＣＰＵ
　６２　　システムメモリ
　６３　　ノースブリッジ（ＮＢ）
　６４　　サウスブリッジ（ＳＢ）
　６５　　ＡＧＰ（Accelerated
Graphics Port）
　６６　　ＡＳＩＣ
　６７　　ローカルメモリ
　６８　　ハードディスク装置（ＨＤＤ）
　８０　　オペレーションパネル
　８１　　ファックスコントロールユニット（ＦＣＵ）
　８２　　エンジン部
　１２０　　ネットワーク機器
　１２１　　ブラウザ
　１３０　　ネットワーク
　１４１　　ｈｔｔｐｄ（Hypertext
Transfer Protocol Daemon）
　１４２　　ネットワークサービス
　１４３　　文書管理サービス
【図１】
2004094941.tif 000003
【図２】
2004094941.tif 000004
【図３】
2004094941.tif 000005
【図４】
2004094941.tif 000006
【図５】
2004094941.tif 000007
【図６】
2004094941.tif 000008
【図７】
2004094941.tif 000009
【図８】
2004094941.tif 000010
【図９】
2004094941.tif 000011
【図１０】
2004094941.tif 000012
【図１１】
2004094941.tif 000013
【図１２】
2004094941.tif 000014
【図１３】
2004094941.tif 000015